(57)【要約】【課題】より好適に正立等倍レンズアレイを光走査ユニットのハウジングに取り付ける。【解決手段】光走査ユニット１０は、正立等倍レンズアレイプレート１１と、ハウジング１２とを備える。ハウジング１２は、正立等倍レンズアレイプレート１１が載置される底面３７と、正立等倍レンズアレイプレート１１からの光を通過させるために、底面３７に形成された孔部３５と、フック係合部３６Ｌおよび３６Ｒと、底面３７に設けられた凸部３８Ｌおよび３８Ｒとを備える。正立等倍レンズアレイプレート１１は、フック部３３Ｌおよび３３Ｒと、凹部３４Ｌおよび３４Ｒとを備える。フック部３３Ｌおよび３３Ｒがフック係合部３６Ｌおよび３６Ｒに係合することにより正立等倍レンズアレイプレート１１がハウジング１２に固定されたときに、凹部３４Ｌおよび３４Ｒと凸部３８Ｌおよび３８Ｒとが嵌合する。【選択図】図２
2012185317.tif 000002
【特許請求の範囲】
【請求項１】
レンズアレイと、該レンズアレイを収容するハウジングとを備える光走査ユニットであって、
前記ハウジングは、
前記レンズアレイが載置される載置面と、
前記レンズアレイからの光を通過させるために、前記載置面に形成された孔部と、
フック係合部と、
前記載置面に設けられた凸部と、を備え、
前記レンズアレイは、
前記フック係合部と係合するフック部と、
前記凸部と嵌合する凹部と、を備え、
前記フック部が前記フック係合部に係合することにより前記レンズアレイが前記ハウジングに固定されたときに、前記凹部と前記凸部とが嵌合することを特徴とする光走査ユニット。
【請求項２】
前記凸部は、前記孔部を挟むように設けられた第１凸部および第２凸部とを含み、
前記凹部は、前記第１凸部および前記第２凸部とそれぞれ嵌合する第１凹部および第２凹部を含むことを特徴とする請求項１に記載の光走査ユニット。
【請求項３】
前記凹部および前記凸部は、少なくとも主走査方向中央部に形成されることを特徴とする請求項１または２に記載の光走査ユニット。
【請求項４】
前記フック部は、前記レンズアレイの高さ方向略中央部に設けられることを特徴とする請求項１から３のいずれかに記載の光走査ユニット。
【請求項５】
前記レンズアレイは、両面に複数のレンズが形成された第１レンズアレイプレートと第２レンズアレイプレートとが対向するように配置された正立等倍レンズアレイプレートであり、
前記第１レンズアレイプレートと前記第２レンズアレイプレートの間に、迷光を除去するための中間遮光部材が設けられており、
前記フック部は、前記中間遮光部材の副走査方向端部に設けられることを特徴とする請求項１から４のいずれかに記載の光走査ユニット。
【請求項６】
請求項１から５のいずれかに記載の光走査ユニットを備えることを特徴とする画像読取装置。
【請求項７】
請求項１から５のいずれかに記載の光走査ユニットを備えることを特徴とする画像書込装置。
【発明の詳細な説明】
【技術分野】
【０００１】
本発明は、画像読取装置や画像書込装置に用いられる光走査ユニットに関する。
【背景技術】
【０００２】
従来、スキャナ等の画像読取装置に例えばＣＩＳ（Contact Image Sensor）等の光走査ユニットが用いられている。このような光走査ユニットは、一般的に、ライン状光源と、正立等倍レンズアレイと、ラインイメージセンサから構成される。正立等倍レンズアレイを用いた正立等倍結像光学系を採用することにより、縮小結像光学系の場合よりも光走査ユニットをコンパクトにすることができる。
【０００３】
光走査ユニットにおける正立等倍レンズアレイとしては、従来、正立等倍像を結像可能なロッドレンズアレイが用いられてきたが、近年では、両面に複数の微小凸レンズを規則的に配列したレンズアレイプレートを、個々の凸レンズの光軸が一致するように複数枚積層した正立等倍レンズアレイプレートが提案されている（たとえば特許文献１参照）。このような正立等倍レンズアレイプレートは、射出成形などの方法により形成できるため、正立等倍レンズアレイを比較的安価に製造することができる。
【先行技術文献】
【特許文献】
【０００４】
【特許文献１】特開２００１−３５２４２９号公報
【発明の概要】
【発明が解決しようとする課題】
【０００５】
ところで、正立等倍レンズアレイを光走査ユニットのハウジングに取り付ける方法として、ハウジングの所定の位置に接着剤を用いて固定する方法がある。
【０００６】
しかしながら、接着剤を用いて固定する場合、固定時に専用の治具などで正立等倍レンズアレイが動かないよう保持しておく必要があり、組立作業性が悪いという問題がある。また、スキャナ等に用いられる光走査ユニットのハウジングは一般に、樹脂で成形された細長い形状であるため、検査時や実装時に予期せぬ力が印加されて光走査ユニットが捻れ、接着剤の一部が剥離する虞もある。
【０００７】
本発明はこうした状況に鑑みてなされたものであり、その目的は、より好適にレンズアレイを光走査ユニットのハウジングに取り付けることのできる技術を提供することにある。
【課題を解決するための手段】
【０００８】
上記課題を解決するために、本発明のある態様の光走査ユニットは、レンズアレイと、該レンズアレイを収容するハウジングとを備える。ハウジングは、レンズアレイが載置される載置面と、レンズアレイからの光を通過させるために載置面に形成された孔部と、フック係合部と、載置面に設けられた凸部とを備える。レンズアレイは、フック係合部と係合するフック部と、凸部と嵌合する凹部とを備える。フック部がフック係合部に係合することにより正立等倍レンズアレイがハウジングに固定されたときに、凹部と凸部とが嵌合する。
【０００９】
凸部は、孔部を挟むように設けられた第１凸部および第２凸部とを含んでもよい。凹部は、第１凸部および第２凸部とそれぞれ嵌合する第１凹部および第２凹部を含んでもよい。
【００１０】
凹部および凸部は、少なくとも主走査方向中央部に形成されてもよい。
【００１１】
フック部は、レンズアレイの高さ方向略中央部に設けられてもよい。
【００１２】
レンズアレイは、両面に複数のレンズが形成された第１レンズアレイプレートと第２レンズアレイプレートとが対向するように配置された正立等倍レンズアレイプレートであり、第１レンズアレイプレートと第２レンズアレイプレートの間に、迷光を除去するための中間遮光部材が設けられており、フック部は、中間遮光部材の副走査方向端部に設けられてもよい。
【００１３】
本発明の別の態様は、画像読取装置である。この装置は、上述の光走査ユニットを備える。
【００１４】
本発明のさらに別の態様は、画像書込装置である。この装置は、上述の光走査ユニットを備える。
【００１５】
なお、以上の構成要素の任意の組合せ、本発明の表現を方法、装置、システム、などの間で変換したものもまた、本発明の態様として有効である。
【発明の効果】
【００１６】
本発明によれば、より好適にレンズアレイを光走査ユニットのハウジングに取り付けることができる。
【図面の簡単な説明】
【００１７】
【図１】本発明の実施形態に係る光走査ユニットを用いた画像読取装置の概略断面図である。
【図２】図１に示す画像読取装置における正立等倍レンズアレイプレート周辺の拡大図である。
【図３】本発明の実施形態に係る光走査ユニットを用いた画像書込装置の概略断面図である。
【発明を実施するための形態】
【００１８】
図１は、本発明の実施形態に係る光走査ユニットを用いた画像読取装置の概略断面図である。図１において、横方向が副走査方向であり、奥行き方向が主走査方向である。
【００１９】
図１に示すように、画像読取装置１００は、原稿Ｇを載置する原稿台としてのガラス板１４と、原稿Ｇを走査して読み取るための光走査ユニット１０と、光走査ユニット１０を移動させる駆動機構（図示せず）と、光走査ユニット１０によって読み取られたデータを処理する画像処理部（図示せず）とを備える。
【００２０】
光走査ユニット１０は、ガラス板１４上に載置された原稿Ｇに光を照射するライン状光源１６と、原稿Ｇからの反射光を集光する正立等倍レンズアレイプレート１１と、正立等倍レンズアレイプレート１１により集光された光を受けるラインイメージセンサ２０と、ライン状光源１６、正立等倍レンズアレイプレート１１およびラインイメージセンサ２０を収容するハウジング１２とを備える。光走査ユニット１０は、その長手方向が主走査方向に、短手方向が副走査方向に一致するように画像読取装置１００に装着される。
【００２１】
ハウジング１２は、基部１２ａと、基部１２ａの上面に形成された光源取付用凹部１２ｂと、基部１２ａの上面に形成されたレンズアレイ取付用凹部１２ｃと、基部１２ａの下面に形成されたセンサ取付用凹部１２ｄとを備える。ハウジング１２は、ＡＢＳ樹脂、ポリカーボネート樹脂などの樹脂材料により射出成形される。
【００２２】
ライン状光源１６は、略直線状の光を出射する光源である。ライン状光源１６は、その光軸が、正立等倍レンズアレイプレート１１の光軸Ａｘとガラス板１４の上面との交点を通るように光源取付用凹部１２ｂ内に固定される。
【００２３】
正立等倍レンズアレイプレート１１は、上方に位置する原稿Ｇから反射された略直線状の光を受けて、下方に位置する像面、すなわちラインイメージセンサ２０の受光面に正立等倍像を形成する。正立等倍レンズアレイプレート１１の詳細な構造、および正立等倍レンズアレイプレート１１のレンズアレイ取付用凹部１２ｃ内への固定方法については後述する。
【００２４】
正立等倍レンズアレイプレート１１の下方には、ラインイメージセンサ２０が設けられる。ラインイメージセンサ２０は、上方に位置する正立等倍レンズアレイプレート１１から受光した光を電気信号に変換する。該電気信号は、基板２２に設けられた配線を介して該信号を図示しない画像処理部に送られる。
【００２５】
画像読取装置１００においては、ライン状光源１６からの出射光がガラス板１４を通して原稿Ｇに当てられ、原稿Ｇからの反射光を正立等倍レンズアレイプレート１１を介してラインイメージセンサ２０にて検出することで原稿Ｇを読み取る。ガラス板１４に対して光走査ユニット１０を副走査方向に走査することにより、原稿Ｇの所望の領域の読み取りを行うことができる。
【００２６】
図２は、図１に示す画像読取装置における正立等倍レンズアレイプレート周辺の拡大図である。図２において、横方向が副走査方向であり、奥行き方向が主走査方向である。
【００２７】
まず最初に、正立等倍レンズアレイプレート１１の構造について説明する。正立等倍レンズアレイプレート１１は、第１レンズアレイプレート２４と第２レンズアレイプレート２６とが対向するように配置されたものである。第１レンズアレイプレート２４および第２レンズアレイプレート２６は、長方形状のプレートであり、その両面には複数の凸レンズが配列形成されている。第１レンズアレイプレート２４および第２レンズアレイプレート２６は、ホルダ３０により保持されている。
【００２８】
第１レンズアレイプレート２４および第２レンズアレイプレート２６は、射出成形により形成される。第１レンズアレイプレート２４および第２レンズアレイプレート２６の材質は、射出成形に使用可能で、必要な波長帯域の光に対して光透過性が高く、吸水性の低いものが望ましい。望ましい材質としては、シクロオレフィン系樹脂や、オレフィン系樹脂、ノルボルネン系樹脂、ポリカーボネートなどを例示することができる。
【００２９】
第１レンズアレイプレート２４の外側面（原稿側面）上には、複数の第１レンズ２４ａが、第１レンズアレイプレート２４の長手方向（主走査方向）に沿って一列に配列されている。また、第１レンズアレイプレート２４の内側面（第２レンズアレイプレート２６と対向する面）上には、複数の第２レンズ２４ｂが、第１レンズアレイプレート２４の長手方向に沿って一列に配列されている。
【００３０】
第２レンズアレイプレート２６の内側面（第１レンズアレイプレート２４と対向する面）上には、複数の第３レンズ２６ａが、第２レンズアレイプレート２６の長手方向（主走査方向）に沿って一列に配列されている。また、第２レンズアレイプレート２６の外側面（ラインイメージセンサ側面）上には、複数の第４レンズ２６ｂが、第２レンズアレイプレート２６の長手方向に沿って一列に配列されている。
【００３１】
第１レンズアレイプレート２４と第２レンズアレイプレート２６は、対応する第１レンズ２４ａ、第２レンズ２４ｂ、第３レンズ２６ａ、第４レンズ２６ｂの組が共軸のレンズ系を構成するように内側面同士を対向させて積層される。言い換えると、第１レンズアレイプレート２４と第２レンズアレイプレート２６は、対応する第１レンズ２４ａ、第２レンズ２４ｂ、第３レンズ２６ａ、第４レンズ２６ｂの光軸が一致するように積層される。
【００３２】
ホルダ３０は、中空の四角柱形状であり、上面部３０ａと、下面部３０ｂと、左側面部３０Ｌと、右側面部３０Ｒとを備える。第１レンズアレイプレート２４と第２レンズアレイプレート２６は、上面部３０ａ、下面部３０ｂ、左側面部３０Ｌおよび右側面部３０Ｒにより形成される空間内に保持されている。ホルダ３０は、たとえば黒色のＡＢＳ樹脂などの遮光性材料を用いて、射出成形などの方法により形成される。
【００３３】
本実施形態において、ホルダ３０の上面部３０ａおよび下面部３０ｂは、結像に寄与しない迷光を遮光する機能を有する。よって、以下においては適宜、上面部３０ａおよび下面部３０ｂをそれぞれ「第１遮光部材３０ａ」および「第２遮光部材３０ｂ」と称する。
【００３４】
第１レンズアレイプレート２４の外側面は、プレート状の第１遮光部材３０ａにより覆われている。この第１遮光部材３０ａには、複数の第１貫通孔３０ｄが形成されている。第１貫通孔３０ｄは、第１遮光部材３０ａの長手方向（主走査方向）に沿って一列に、第１レンズアレイプレート２４の第１レンズ２４ａと対応するように形成されている。第１遮光部材３０ａは、各第１貫通孔３０ｄが対応する第１レンズ２４ａの正面に位置するように設けられる。
【００３５】
第２レンズアレイプレート２６の外側面は、プレート状の第２遮光部材３０ｂにより覆われている。この第２遮光部材３０ｂには、複数の第２貫通孔３０ｅが形成されている。第２貫通孔３０ｅは、第２遮光部材３０ｂの長手方向（主走査方向）に沿って一列に、第２レンズアレイプレート２６の第４レンズ２６ｂと対応するように形成されている。第２遮光部材３０ｂは、各第２貫通孔３０ｅが対応する第４レンズ２６ｂの正面に位置するように設けられる。
【００３６】
図２に示すように、第１レンズアレイプレート２４と第２レンズアレイプレート２６との間には中間遮光部材３２が設けられている。この中間遮光部材３２もまた、結像に寄与しない迷光を遮光する機能を有する。
【００３７】
中間遮光部材３２は、遮光性材料によって形成されたプレート状の遮光部材であり、複数の中間貫通孔３２ａが形成されている。中間貫通孔３２ａは、中間遮光部材３２の長手方向（主走査方向）に沿って一列に、第２レンズ２４ｂと第３レンズ２６ａと対応するように形成されている。中間遮光部材３２は、各中間貫通孔３２ａが対応する第２レンズ２４ｂおよび第３レンズ２６ａの正面に位置するように設けられる。中間遮光部材３２は、ホルダ３０の左側面部３０Ｌおよび右側面部３０Ｒにより保持されている。
【００３８】
本実施形態において、中間遮光部材３２は、副走査方向の端部がホルダ３０の外側に延びるように形成されている。そして、該端部にはフック部が設けられている。すなわち、図２に示すように、中間遮光部材３２の副走査方向左端部は、ホルダ３０の左側面部３０Ｌから外方に延びており、左側面部３０Ｌから所定距離離間した位置で垂直下方に折り曲げられて左フック部３３Ｌとされている。下方に折り曲げられた部分全てが左フック部３３Ｌである。また、中間遮光部材３２の副走査方向右端部は、ホルダ３０の右側面部３０Ｒから外方に延びており、右側面部３０Ｒから所定距離離間した位置で垂直下方に折り曲げられて右フック部３３Ｒとされている。下方に折り曲げられた部分全てが右フック部３３Ｒである。
【００３９】
また本実施形態においては、左フック部３３Ｌと左側面部３０Ｌとの間に左凹部３４Ｌが形成されており、右フック部３３Ｒと右側面部３０Ｒとの間に右凹部３４Ｒが形成されている。
【００４０】
次に、上記のような正立等倍レンズアレイプレート１１が取り付けられるハウジング１２の構造について説明する。図２に示すように、正立等倍レンズアレイプレート１１は、ハウジング１２の上面に形成されたレンズアレイ取付用凹部１２ｃ内に固定される。
【００４１】
正立等倍レンズアレイプレート１１の載置面としてのレンズアレイ取付用凹部１２ｃの底面３７には、当該光走査ユニットの主走査方向に延びる細長い孔部３５が形成されている。この細長い孔部３５は、正立等倍レンズアレイプレート１１からの光をラインイメージセンサに通過させるために設けられている。
【００４２】
また、レンズアレイ取付用凹部１２ｃの左側壁１２ｅには、正立等倍レンズアレイプレート１１の左フック部３３Ｌを係合するための左フック係合部３６Ｌが形成されており、レンズアレイ取付用凹部１２ｃの右側壁１２ｆには、正立等倍レンズアレイプレート１１の右フック部３３Ｒを係合するための右フック係合部３６Ｒが形成されている。
【００４３】
さらに、レンズアレイ取付用凹部１２ｃの底面３７には、孔部３５を挟むように左凸部３８Ｌと、右凸部３８Ｒとが設けられている。左凸部３８Ｌおよび右凸部３８Ｒは、主走査方向に延びるように形成されている。左凸部３８Ｌおよび右凸部３８Ｒは、主走査方向に互いに平行に延びる２本の「レール」と呼ぶこともできる。
【００４４】
次に、正立等倍レンズアレイプレート１１のハウジング１２への取り付けについて説明する。正立等倍レンズアレイプレート１１は、上方の開口部からレンズアレイ取付用凹部１２ｃ内に挿入される。正立等倍レンズアレイプレート１１の第２遮光部材３０ｂがレンズアレイ取付用凹部１２ｃの底面３７に当接するまで正立等倍レンズアレイプレート１１をレンズアレイ取付用凹部１２ｃに押し込むと、左フック部３３Ｌおよび右フック部３３Ｒがそれぞれ左フック係合部３６Ｌおよび右フック係合部３６Ｒに係合する。これにより、正立等倍レンズアレイプレート１１がハウジング１２に固定される。またこのとき、左凹部３４Ｌおよび右凹部３４Ｒがそれぞれ左凸部３８Ｌおよび右凸部３８Ｒに嵌合する。
【００４５】
ハウジング１２は、樹脂成形された細長い形状であり、また主走査方向に延びる細長い孔部３５が設けられていることから剛性がそれ程高くない。従って、ハウジング１２は、力が印加されると変形しやすい。具体的には、孔部３５の副走査方向幅が狭くなるように変形したり、孔部３５の副走査方向幅が広くなるように変形する。このハウジングの変形により、例えば接着剤で正立等倍レンズアレイプレート１１とハウジング１２を固定した場合には、接着剤が剥離する虞がある。
【００４６】
一方、本実施形態においては、上記のように正立等倍レンズアレイプレート１１がハウジング１２に固定されたときに、左凹部３４Ｌおよび右凹部３４Ｒがそれぞれ左凸部３８Ｌおよび右凸部３８Ｒに嵌合する構成としたことにより、ハウジング１２の変形が抑制される。具体的には、例えばハウジング１２に対して外側から内側に向かう力が印加された場合、左凸部３８Ｌおよび右凸部３８Ｒはそれぞれ正立等倍レンズアレイプレート１１の左側面部３０Ｌおよび右側面部３０Ｒから外側に向かう反力を受ける。これにより、ハウジング１２の変形が抑制される。また、例えばハウジング１２に対して内側から外側に向かう力が印加された場合、左凸部３８Ｌおよび右凸部３８Ｒはそれぞれ正立等倍レンズアレイプレート１１の左フック部３３Ｌおよび右フック部３３Ｒから内側に向かう反力を受ける。これにより、ハウジング１２の変形が抑制される。
【００４７】
また、本実施形態においては、正立等倍レンズアレイプレート１１とハウジング１２との固定にフック構造を用いているので、力が印加された際にハウジング１２が多少変形したとしても、力が印加がなくなれば再び元の固定状態に戻る。これに対し、接着剤で正立等倍レンズアレイプレート１１とハウジング１２を固定した場合には、力の印加により一度接着剤が剥離すると、力の印加がなくなっても元の固定状態に戻ることはない。
【００４８】
本実施形態によれば、フック構造を採用したことにより、正立等倍レンズアレイプレート１１をレンズアレイ取付用凹部１２ｃにはめ込むだけで取付が完了するという利点を有する。接着剤を用いた場合のように専用の治具に正立等倍レンズアレイプレートを固定する工程や、接着剤の硬化を待つ工程がなくなるので、組立作業性が向上し、製造コストを低減できる。また、接着剤を用いていないので、当然ながらレンズに接着剤が付着するといった事態を回避できる。
【００４９】
以上説明したように、本実施形態に係る正立等倍レンズアレイプレート１１とハウジング１２の取付構造は、接着剤を用いた取付構造と比較して非常に多くの利点を有する。
【００５０】
左凸部３８Ｌおよび右凸部３８Ｒと、左凹部３４Ｌおよび右凹部３４Ｒは、光走査ユニット１０の主走査方向両端部にかけて連続的に設けられてもよいし、断続的に設けられていてもよい。断続的に設けられる場合、一般的にハウジング１２の変形は主走査方向中央部において最も大きくなるので、左凸部３８Ｌおよび右凸部３８Ｒと、左凹部３４Ｌおよび右凹部３４Ｒは、少なくとも光走査ユニット１０の主走査方向中央部に設けられることが望ましい。
【００５１】
上述の実施形態では、左フック部３３Ｌおよび右フック部３３Ｒを正立等倍レンズアレイプレート１１の高さ方向略中央に位置する中間遮光部材３２に設ける構成とした。本実施形態のように、左フック部３３Ｌおよび右フック部３３Ｒを正立等倍レンズアレイプレート１１の高さ方向略中央に配置することにより、ハウジング１２の原稿面側に対して副走査方向両外側に向かう力が作用した場合と、ハウジング１２のラインイメージセンサ側に対して副走査方向両外側に向かう力が作用した場合の両方において、好適にハウジング１２の変形を抑制できる。
【００５２】
左フック部３３Ｌおよび左フック係合部３６Ｌと、右フック部３３Ｒおよび右フック係合部３６Ｒは、組立時の安定性を優先する場合は、主走査方向において異なる位置に形成されることが望ましい。両者を主走査方向において同じ位置に形成した場合、フック部の係合を左右同時に行う必要が生じ、ハウジング１２の変形や係合の不具合などが発生する可能性が高まるからである。
【００５３】
また、左フック係合部３６Ｌや右フック係合部３６Ｒのような形状を射出成形で作る場合、アンダーカット構造が必要となる。アンダーカット構造を採用した場合、アンダーカット部の入れ子が抜けるスペースが必要となるが、両者を主走査方向において同じ位置に形成した場合、このスペースの確保が難しくなる。従って、実際の製造の観点からも、左フック部３３Ｌおよび左フック係合部３６Ｌと、右フック部３３Ｒおよび右フック係合部３６Ｒとは、主走査方向異なる位置に形成されることが望ましい。例えば、左フック部３３Ｌおよび左フック係合部３６Ｌと、右フック部３３Ｒおよび右フック係合部３６Ｒは、主走査方向に交互に並ぶように配置されてよい。
【００５４】
しかしながら、正立等倍レンズアレイプレート１１の光学特性を優先する場合には、左フック部３３Ｌおよび左フック係合部３６Ｌと、右フック部３３Ｒおよび右フック係合部３６Ｒとは、主走査方向において同じ位置に形成されてもよい。この場合、正立等倍レンズアレイプレート１１が主走査方向に関して対称な位置でハウジング１２に接合されるので、レンズ系の光軸曲がりが生じにくいためである。
【００５５】
上述の実施形態では、レンズアレイとして正立等倍レンズアレイプレートを採用したが、レンズアレイはこれに限定されず、たとえば複数のロッドレンズを列状に配置した構造のレンズアレイを採用してもよい。また、レンズアレイは正立等倍結像光学系のものに限定されず、例えば縮小結像光学系のレンズアレイであってもよい。
【００５６】
また、上述の実施形態では、ホルダ３０を中空の四角柱形状としたが、中間遮光部材３２を第１遮光部材３０ａと第２遮光部材３０ｂとで挟む構造としてもよい。
【００５７】
図３は、本発明の実施形態に係る光走査ユニットを用いた画像書込装置の概略断面図である。図３に示すように、画像書込装置２００は、光走査ユニット２２０と、光走査ユニット２２０から出射された光を受光する感光体ドラム２０８と、制御部２０２と、上記構成要素を収容する筐体２１０とを備える。光走査ユニット２２０は、複数のＬＥＤがアレイ状に配列されたＬＥＤアレイ２０６と、ＬＥＤアレイ２０６が搭載された基板２０４と、ＬＥＤアレイ２０６から出射された光を集光する正立等倍レンズアレイプレート１１と、上記構成要素を収容するハウジング２１２とを備える。ＬＥＤアレイ２０６の発光は、制御部２０２により制御される。なお、図３においては、感光体ドラム２０８の周辺に設けられる現像装置、転写装置などについては図示を省略している。
【００５８】
画像書込装置２００は、ＬＥＤを光源に用いた所謂ＬＥＤプリントヘッド方式の画像書込装置である。ＬＥＤプリントヘッド方式は、画素と発光源が１対１に対応しており、走査機構が不要である。従って、レーザ光源とポリゴンミラーを組み合わせたレーザＲＯＳ（Raster Output Scanner）方式と比べて、装置を小型且つ軽量化できる。
【００５９】
本実施形態においても、正立等倍レンズアレイプレート１１とハウジング１２とは、図１および図２に示す光走査ユニット１０と同様のフック構造により固定される。また、図１および図２に示す光走査ユニット１０と同様の凹凸嵌合構造によりハウジング１２の変形が抑制される。
【００６０】
以上、本発明を実施の形態をもとに説明した。この実施の形態は例示であり、それらの各構成要素や各処理プロセスの組合せにいろいろな変形例が可能なこと、またそうした変形例も本発明の範囲にあることは当業者に理解されるところである。
【符号の説明】
【００６１】
１０、２２０  光走査ユニット、  １１  正立等倍レンズアレイプレート、  １２、２１２  ハウジング、  １４  ガラス板、  １６  ライン状光源、  ２０  ラインイメージセンサ、  ２２  基板、  ２４  第１レンズアレイプレート、  ２６  第２レンズアレイプレート、  ３０  ホルダ、  ３２  中間遮光部材、  ３３Ｌ  左フック部、  ３３Ｒ  右フック部、  ３４Ｌ  左凹部、  ３４Ｒ  右凹部、  ３５  孔部、  ３６Ｌ  左フック係合部、  ３６Ｒ  右フック係合部、  ３８Ｌ  左凸部、  ３８Ｒ  右凸部、  １００  画像読取装置、  ２００  画像書込装置、  ２０２  制御部、  ２０６  ＬＥＤアレイ、  ２０８  感光体ドラム。
【図１】
2012185317.tif 000003
【図２】
2012185317.tif 000004
【図３】
2012185317.tif 000005